(57)【要約】  【課題】  回転トルクを得るためにスプリングを必要としない２つのアイドラギヤからなるアイドラ機構を有した熱転写プリンタを提供することである。  【解決手段】  ピックアップローラギヤ３１に噛合する第３のピックアップギヤ３２と、揺動中心軸を中心としてピックアップローラギヤ３１側又は第３のピックアップギヤ３２側に揺動可能なピックアップアイドラアーム３０と、ピックアップアイドラアーム３０の両端に配置された第１及び第２のピックアップアイドラギヤ２９ａ、２９ｂと、揺動中心軸を中心として回転し、第１及び第２のピックアップアイドラギヤ２９ａ、２９ｂを駆動する第２のピックアップギヤ２８とを備え、少なくとも常に、第１のピックアップアイドラギヤ２９ａがピックアップローラギヤ３１に接触しているか、又は第２のピックアップアイドラギヤ２９ｂが第３のピックアップギヤ３２に接触している構成とする。【選択図】      図１
2005313424.tif 000002
【特許請求の範囲】
【請求項１】
アイドラ機構を備えた熱転写プリンタにおいて、
ピックアップローラギヤと、
該ピックアップローラギヤに噛合する第３のピックアップギヤ及びイジェクトローラギ
ヤと、
揺動中心軸を中心として前記ピックアップローラギヤ側又は前記第３のピックアップギ
ヤ側に揺動可能なＬ字型のピックアップアイドラアームと、
該ピックアップアイドラアームの一端に配置され、前記ピックアップローラギヤに噛合
可能な第１のピックアップアイドラギヤと、
前記ピックアップアイドラアームの他端に配置され、前記第３のピックアップギヤに噛
合可能な第２のピックアップアイドラギヤと、
前記揺動中心軸を中心として回転可能であって、前記第１及び第２のピックアップアイ
ドラギヤを駆動する第２のピックアップギヤと、
前記ピックアップローラギヤに同軸に固定された給紙ローラと、
前記イジェクトローラギヤに同軸に固定された排紙ローラとを備え、
少なくとも常に、前記第１のピックアップアイドラギヤが前記ピックアップローラギヤ
に接触しているか、又は前記第２のピックアップアイドラギヤが前記第３のピックアップ
ギヤに接触していることを特徴とする熱転写プリンタ。
【請求項２】
アイドラ機構を備えた熱転写プリンタにおいて、
第１の従動ギヤと、
該第１の従動ギヤに噛合する第２の従動ギヤと、
揺動中心軸を中心として前記第１又は第２の従動ギヤ側に揺動可能なＬ字型のピックア
ップアイドラアームと、
該ピックアップアイドラアームの一端に配置され、前記第１の従動ギヤに噛合可能な第
１のピックアップアイドラギヤと、
前記ピックアップアイドラアームの他端に配置され、前記第２の従動ギヤに噛合可能な
第２のピックアップアイドラギヤと、
前記揺動中心軸を中心として回転可能であって、前記第１及び第２のピックアップアイ
ドラギヤを駆動する主導ギヤとを備え、
少なくとも常に、前記第１のピックアップアイドラギヤが前記第１の従動ギヤに接触し
ているか、又は前記第２のピックアップアイドラギヤが前記第２の従動ギヤに接触してい
ることを特徴とする熱転写プリンタ。
【請求項３】
第１の従動ギヤと、該第１の従動ギヤに噛合する第２の従動ギヤと、揺動中心軸を中心
として前記第１又は第２の従動ギヤ側に揺動可能なＬ字型のピックアップアイドラアーム
と、該ピックアップアイドラアームの一端に配置され、前記第１の従動ギヤに噛合可能な
第１のピックアップアイドラギヤと、前記ピックアップアイドラアームの他端に配置され
、前記第２の従動ギヤに噛合可能な第２のピックアップアイドラギヤと、前記揺動中心軸
を中心として回転可能であって、前記第１及び第２のピックアップアイドラギヤを駆動す
る主導ギヤとを備えた熱転写プリンタにおいて、
前記第１のピックアップアイドラギヤが前記第１の従動ギヤに噛合している状態で、前
記第１のピックアップアイドラギヤを前記第１の従動ギヤから離間する方向に前記主導ギ
ヤが回転すると、前記ピックアップアイドラアームも同方向に回転し、前記第１のピック
アップアイドラギヤが前記第１の従動ギヤから離間すると同時に、前記第２のピックアッ
プアイドラギヤが前記第２の従動ギヤに噛合し、
前記第２のピックアップアイドラギヤが前記第２の従動ギヤに噛合している状態で、前
記第２のピックアップアイドラギヤを前記第２の従動ギヤから離間する方向に前記主導ギ
ヤが回転すると、前記ピックアップアイドラアームも同方向に回転し、前記第２のピック
アップアイドラギヤが前記第２の従動ギヤから離間すると同時に、前記第１のピックアッ
プアイドラギヤが前記第１の従動ギヤに噛合することを特徴とする熱転写プリンタ。
【請求項４】
ピックアップローラギヤと、該ピックアップローラギヤに噛合する第３のピックアップ
ギヤ及びイジェクトローラギヤと、揺動中心軸を中心として前記ピックアップローラギヤ
側又は前記第３のピックアップギヤ側に揺動可能なＬ字型のピックアップアイドラアーム
と、該ピックアップアイドラアームの一端に配置され、前記ピックアップローラギヤに噛
合可能な第１のピックアップアイドラギヤと、前記ピックアップアイドラアームの他端に
配置され、前記第３のピックアップギヤに噛合可能な第２のピックアップアイドラギヤと
、前記揺動中心軸を中心として回転可能であって、前記第１及び第２のピックアップアイ
ドラギヤを駆動する第２のピックアップギヤと、前記ピックアップローラギヤに同軸に固
定された給紙ローラと、前記イジェクトローラギヤに同軸に固定された排紙ローラとを備
えた熱転写プリンタにおいて、
前記第１のピックアップアイドラギヤが前記ピックアップローラギヤに噛合している状
態で、前記第１のピックアップアイドラギヤを前記ピックアップローラギヤから離間する
方向に前記第２のピックアップギヤが回転すると、前記ピックアップアイドラアームも同
方向に回転し、前記第１のピックアップアイドラギヤが前記ピックアップローラギヤから
離間すると同時に、前記第２のピックアップアイドラギヤが前記第３のピックアップギヤ
に噛合し、
前記第２のピックアップアイドラギヤが前記第３のピックアップギヤに噛合している状
態で、前記第２のピックアップアイドラギヤを前記第３のピックアップギヤから離間する
方向に前記第２のピックアップギヤが回転すると、前記ピックアップアイドラアームも同
方向に回転し、前記第２のピックアップアイドラギヤが前記第３のピックアップギヤから
離間すると同時に、前記第１のピックアップアイドラギヤが前記ピックアップローラギヤ
に噛合することを特徴とする熱転写プリンタ。
【発明の詳細な説明】
【技術分野】
【０００１】
本発明は、アイドラ機構を備えた熱転写プリンタに関するものである。
【背景技術】
【０００２】
従来、熱転写プリンタとしては昇華型やＴＡ型が知られている。そして、フルカラーの
熱転写プリンタでは、１色毎に印刷する仕様であるため、給紙した用紙を一旦逆に送り再
給紙する機構となっている。これを実現するためモータを逆回転させたりアイドラ機構を
利用したりしている。図４に一般的なアイドラ機構を備えた昇華型熱転写プリンタの部分
側面透過図を示す。なお、図面は簡略化のためギヤの歯を一点鎖線で示している。
【０００３】
昇華型熱転写プリンタ１００は、用紙トレー（不図示）を上下させるピックアップレバ
ー１１と、用紙トレー上の用紙をピックアップする給紙ローラ１２と、用紙に圧を掛けな
がら搬送するプレスローラ１３及びスパイクローラ１４と、用紙を排紙する排紙ローラ１
６とを備える。
【０００４】
また、昇華型熱転写プリンタ１００は各種モータやギヤを備える。フィードモータ３４
はフィードギヤ２０ａを駆動させる。第１のフィードギヤ２０ａと２０ｂは同軸に一体成
形されており、第１のフィードギヤ２０ｂは第２のフィードギヤ２１ａに噛合している。
第２のフィードギヤ２１ａと２１ｂは同軸に一体成形されており、第２のフィードギヤ２
１ｂはフィードローラギヤ２２に噛合している。
【０００５】
フィードローラギヤ２２はスパイクローラ１４と同軸に固定されており、スパイクロー
ラ１４と連動する。フィードローラギヤ２２は第１のピックアップギヤ２７ａに噛合して
いる。第１のピックアップギヤ２７ａと２７ｂは同軸に一体成形されており、第１のピッ
クアップギヤ２７ｂは第２のピックアップギヤ２８に噛合している。
【０００６】
第２のピックアップギヤ２８は第１及び第２のピックアップアイドラギヤ２９ａ、２９
ｂに噛合している。そして、第１又は第２のピックアップアイドラギヤ２９ａ、２９ｂの
一方の軸には首振り時の回転トルクを発生させるためのスプリング（不図示）が挿入され
ている。これらのピックアップアイドラギヤ２９ａ、２９ｂはＬ字型のピックアップアイ
ドラアーム３０で第２のピックアップギヤ２８に接続されている。第１のピックアップア
イドラギヤ２９ａはピックアップアイドラアーム３０の首振りによりピックアップローラ
ギヤ３１に噛合する。ピックアップローラギヤ３１は給紙ローラ１２と同軸に固定されて
おり、給紙ローラ１２と連動する。一方、第２のピックアップアイドラギヤ２９ｂはピッ
クアップアイドラアーム３０の首振りにより第３のピックアップギヤ３２に噛合する。図
４では第１のピックアップアイドラギヤ２９ａがピックアップローラギヤ３１に噛合して
いる状態を示している。
【０００７】
第３のピックアップギヤ３２はピックアップローラギヤ３１に噛合している。またピッ
クアップローラギヤ３１はイジェクトローラギヤ３３に噛合している。イジェクトローラ
ギヤ３３は排紙ローラ１６と同軸に固定されており、排紙ローラ１６と連動する。
【０００８】
また、ピックアップギヤ２７ａと同軸にアイドラストッパ１０１が設けられる。そして
、アイドラストッパ１０１と接触するように、ピックアップアイドラアーム３０には突起
３０ｂが形成されている。図４の状態では突起３０ｂがアイドラストッパ１０１によって
上方向に付勢されているのでアイドラアーム３０の角度が固定され、第１のピックアップ
アイドラギヤ２９ａがピックアップローラギヤ３１に噛合している。
【０００９】
図５は、図４の昇華型熱転写プリンタ１０の給紙時の状態を示す部分側面透過図である
。給紙時にはピックアップレバー１１が駆動して先端部が上昇する。その先端部で用紙ト
レーが持ち上げられ、最上部の用紙が給紙ローラ１２に当たると、給紙ローラ１１の回転
により給紙される。このとき、ピックアップレバー１１の上昇により、アイドラストッパ
１０１が時計回りに回転し、突起３０ｂへの付勢が解除される。給紙時に第２のピックア
ップギヤ２８は矢印１１０に示した方向に回転しているので、アイドラアーム３０に矢印
１１０に示した方向に回転トルクがかかる。従って、アイドラアーム３０が回転し、第２
のピックアップアイドラギヤ２９ｂが第３のピックアップギヤ３２に噛合する。その結果
、第２のピックアップアイドラギヤ２９ｂは矢印１１１に示した方向に回転し、第３のピ
ックアップギヤ３２は矢印１１２に示した方向に回転し、ピックアップローラギヤ３１は
矢印１１３に示した方向に回転し、給紙ローラ１２は矢印１１４に示した方向に回転する
。
【００１０】
ところで特許文献１では、アイドラギヤを常に一方のギヤと噛合させることによって首
振りトルクを発生させ、アイドラギヤの軸からスプリングを抹消している。
【特許文献１】実用新案登録第３０９３５４８号公報
【発明の開示】
【発明が解決しようとする課題】
【００１１】
しかしながら、図４、図５に示された昇華型熱転写プリンタ１００では、アイドラ機構
の首振りトルクを得るのにスプリングを必要とするため、構成が煩雑であった。この構成
では第１及び第２のピックアップアイドラギヤ２９ａ、２９ｂの両方がピックアップロー
ラギヤ３１や第３のピックアップギヤ３２のどちらにも噛合していない状態を生じる。
【００１２】
一方特許文献１では、首振りのためのアイドラギヤは１つであり、アイドラギヤの両側
に固定のギヤが配設される点が、図４、図５に示された２つのアイドラギヤを備えた構成
とは異なる。
【００１３】
本発明は、回転トルクを得るためにスプリングを必要としない２つのアイドラギヤから
なるアイドラ機構を有した熱転写プリンタを提供することを目的とする。
【課題を解決するための手段】
【００１４】
上記目的を達成するために本発明は、アイドラ機構を備えた熱転写プリンタにおいて、
ピックアップローラギヤと、該ピックアップローラギヤに噛合する第３のピックアップギ
ヤ及びイジェクトローラギヤと、揺動中心軸を中心として前記ピックアップローラギヤ側
又は前記第３のピックアップギヤ側に揺動可能なＬ字型のピックアップアイドラアームと
、該ピックアップアイドラアームの一端に配置され、前記ピックアップローラギヤに噛合
可能な第１のピックアップアイドラギヤと、前記ピックアップアイドラアームの他端に配
置され、前記第３のピックアップギヤに噛合可能な第２のピックアップアイドラギヤと、
前記揺動中心軸を中心として回転可能であって、前記第１及び第２のピックアップアイド
ラギヤを駆動する第２のピックアップギヤと、前記ピックアップローラギヤに同軸に固定
された給紙ローラと、前記イジェクトローラギヤに同軸に固定された排紙ローラとを備え
、少なくとも常に、前記第１のピックアップアイドラギヤが前記ピックアップローラギヤ
に接触しているか、又は第２のピックアップアイドラギヤが前記第３のピックアップギヤ
に接触していることを特徴とする。
【００１５】
また本発明は、アイドラ機構を備えた熱転写プリンタにおいて、第１の従動ギヤと、該
第１の従動ギヤに噛合する第２の従動ギヤと、揺動中心軸を中心として前記第１又は第２
の従動ギヤ側に揺動可能なＬ字型のピックアップアイドラアームと、該ピックアップアイ
ドラアームの一端に配置され、前記第１の従動ギヤに噛合可能な第１のピックアップアイ
ドラギヤと、前記ピックアップアイドラアームの他端に配置され、前記第２の従動ギヤに
噛合可能な第２のピックアップアイドラギヤと、前記揺動中心軸を中心として回転可能で
あって、前記第１及び第２のピックアップアイドラギヤを駆動する主導ギヤとを備え、少
なくとも常に、前記第１のピックアップアイドラギヤが前記第１の従動ギヤに接触してい
るか、又は第２のピックアップアイドラギヤが前記第２の従動ギヤに接触していることを
特徴とする。
【００１６】
また本発明は、第１の従動ギヤと、該第１の従動ギヤに噛合する第２の従動ギヤと、揺
動中心軸を中心として前記第１又は第２の従動ギヤ側に揺動可能なＬ字型のピックアップ
アイドラアームと、該ピックアップアイドラアームの一端に配置され、前記第１の従動ギ
ヤに噛合可能な第１のピックアップアイドラギヤと、前記ピックアップアイドラアームの
他端に配置され、前記第２の従動ギヤに噛合可能な第２のピックアップアイドラギヤと、
前記揺動中心軸を中心として回転可能であって、前記第１及び第２のピックアップアイド
ラギヤを駆動する主導ギヤとを備えた熱転写プリンタにおいて、前記第１のピックアップ
アイドラギヤが前記第１の従動ギヤに噛合している状態で、前記第１のピックアップアイ
ドラギヤを前記第１の従動ギヤから離間する方向に前記主導ギヤが回転すると、前記ピッ
クアップアイドラアームも同方向に回転し、前記第１のピックアップアイドラギヤが前記
第１の従動ギヤから離間すると同時に、前記第２のピックアップアイドラギヤが前記第２
の従動ギヤに噛合し、前記第２のピックアップアイドラギヤが前記第２の従動ギヤに噛合
している状態で、前記第２のピックアップアイドラギヤを前記第２の従動ギヤから離間す
る方向に前記主導ギヤが回転すると、前記ピックアップアイドラアームも同方向に回転し
、前記第２のピックアップアイドラギヤが前記第２の従動ギヤから離間すると同時に、前
記第１のピックアップアイドラギヤが前記第１の従動ギヤに噛合することを特徴とする。
【００１７】
また本発明は、ピックアップローラギヤと、該ピックアップローラギヤに噛合する第３
のピックアップギヤ及びイジェクトローラギヤと、揺動中心軸を中心として前記ピックア
ップローラギヤ側又は前記第３のピックアップギヤ側に揺動可能なＬ字型のピックアップ
アイドラアームと、該ピックアップアイドラアームの一端に配置され、前記ピックアップ
ローラギヤに噛合可能な第１のピックアップアイドラギヤと、前記ピックアップアイドラ
アームの他端に配置され、前記第３のピックアップギヤに噛合可能な第２のピックアップ
アイドラギヤと、前記揺動中心軸を中心として回転可能であって、前記第１及び第２のピ
ックアップアイドラギヤを駆動する第２のピックアップギヤと、前記ピックアップローラ
ギヤに同軸に固定された給紙ローラと、前記イジェクトローラギヤに同軸に固定された排
紙ローラとを備えた熱転写プリンタにおいて、前記第１のピックアップアイドラギヤが前
記ピックアップローラギヤに噛合している状態で、前記第１のピックアップアイドラギヤ
を前記ピックアップローラギヤから離間する方向に前記第２のピックアップギヤが回転す
ると、前記ピックアップアイドラアームも同方向に回転し、前記第１のピックアップアイ
ドラギヤが前記ピックアップローラギヤから離間すると同時に、前記第２のピックアップ
アイドラギヤが前記第３のピックアップギヤに噛合し、前記第２のピックアップアイドラ
ギヤが前記第３のピックアップギヤに噛合している状態で、前記第２のピックアップアイ
ドラギヤを前記第３のピックアップギヤから離間する方向に前記第２のピックアップギヤ
が回転すると、前記ピックアップアイドラアームも同方向に回転し、前記第２のピックア
ップアイドラギヤが前記第３のピックアップギヤから離間すると同時に、前記第１のピッ
クアップアイドラギヤが前記ピックアップローラギヤに噛合することを特徴とする。
【発明の効果】
【００１８】
本発明によれば、少なくとも常に、第１のピックアップアイドラギヤがピックアップロ
ーラギヤに接触しているか、又は第２のピックアップアイドラギヤが第３のピックアップ
ギヤに接触しているので、第１又は第２のピックアップアイドラギヤにスプリングを挿入
しなくてもアイドラアームが回転トルクを得ることができる。従って、部品点数が減りコ
ストを削減できる。
【発明を実施するための最良の形態】
【００１９】
以下、熱転写プリンタの１つである昇華型熱転写プリンタを例に説明する。なお、図面
は簡略化のためギヤの歯を一点鎖線で示している。図１は、アイドラ機構を備えた昇華型
熱転写プリンタ１０の側面透過図である。昇華型熱転写プリンタ１０は、用紙トレー（不
図示）を上下させるピックアップレバー１１と、用紙トレー上の用紙をピックアップする
給紙ローラ１２と、用紙に圧を掛けながら搬送するプレスローラ１３及びスパイクローラ
１４と、サーマルヘッド（不図示）が当たるプラテンローラ１５と、用紙を排紙する排紙
ローラ１６とを備える。
【００２０】
また、昇華型熱転写プリンタ１０は各種モータやギヤを備える。モードモータ１７は給
紙・排紙のモードを切り替えるためにモードギヤ１８ａを駆動させる。モードギヤ１８ａ
と１８ｂは同軸に一体成形されており、モードギヤ１８ｂはカムギヤ１９に噛合している
。
【００２１】
フィードモータ３４は第１のフィードギヤ２０ａを駆動させる。第１のフィードギヤ２
０ａと２０ｂは同軸に一体成形されており、第１のフィードギヤ２０ｂは第２のフィード
ギヤ２１ａに噛合している。第２のフィードギヤ２１ａと２１ｂは同軸に一体成形されて
おり、第２のフィードギヤ２１ｂはフィードローラギヤ２２に噛合している。
【００２２】
フィードローラギヤ２２はスパイクローラ１４と同軸に固定されており、スパイクロー
ラ１４と連動する。またフィードローラギヤ２２はアイドラギヤ２３ａに噛合している。
このアイドラギヤ２３ａはＬ字型のアイドラアーム２４でフィードローラギヤ２２と接続
されている。アイドラギヤ２３ａと２３ｂは同軸に一体成形されており、アイドラギヤ２
３ｂはクラッチギヤ２５又はカムギヤ１９に噛合する。図１ではアイドラギヤ２３ｂがク
ラッチギヤ２５に噛合している状態を示している。
【００２３】
またフィードローラギヤ２２は第１のピックアップギヤ２７ａに噛合している。第１の
ピックアップギヤ２７ａと２７ｂは同軸に一体成形されており、第１のピックアップギヤ
２７ｂは第２のピックアップギヤ（主導ギヤ）２８に噛合している。
【００２４】
第２のピックアップギヤ２８は第１及び第２のピックアップアイドラギヤ２９ａ、２９
ｂに噛合している。これらのピックアップアイドラギヤ２９ａ、２９ｂはＬ字型のピック
アップアイドラアーム３０で第２のピックアップギヤ２８に接続されている。ピックアッ
プアイドラアーム３０には突起３０ａが一体成形されている。この突起３０ａがピックア
ップレバー１１の一部をＬ字型に切り起こして形成した係止部１１ａで係止された場合、
ピックアップアイドラアーム３０が固定される。ピックアップレバー１１は板金で作製さ
れるので係止部１１ａを容易に形成することができる。
【００２５】
第１のピックアップアイドラギヤ２９ａはピックアップアイドラアーム３０の首振りに
よりピックアップローラギヤ（第１の従動ギヤ）３１に噛合する。ピックアップローラギ
ヤ３１は給紙ローラ１２と同軸に固定されており、給紙ローラ１２と連動する。一方、第
２のピックアップアイドラギヤ２９ｂはピックアップアイドラアーム３０の首振りにより
第３のピックアップギヤ（第２の従動ギヤ）３２に噛合する。図１では第１のピックアッ
プアイドラギヤ２９ａがピックアップローラギヤ３１に噛合している状態を示している。
【００２６】
第３のピックアップギヤ３２はピックアップローラギヤ３１に噛合している。またピッ
クアップローラギヤ３１はイジェクトローラギヤ３３に噛合している。イジェクトローラ
ギヤ３３は排紙ローラ１６と同軸に固定されており、排紙ローラ１６と連動する。
【００２７】
次に、ピックアップアイドラの機構について説明する。図２は給紙時のピックアップア
イドラ機構の状態を示す側面図であり、図３は排紙時のピックアップアイドラ機構の状態
を示す側面図である。
【００２８】
第２のピックアップギヤ２８が回転することにより、第２のピックアップギヤ２８と第
１又は第２のピックアップアイドラギヤ２９ａ、２９ｂとの噛合部における第２のピック
アップギヤ２８の回転方向に向けて、第１又は第２のピックアップアイドラギヤ２９ａ、
２９ｂを移動させるための回転トルクが発生する。そのため、第１のピックアップアイド
ラギヤ２９ａと第２のピックアップギヤ２８との噛合部がピックアップローラギヤ３１側
に向かうように第２のピックアップギヤ２８を回転させておけば（矢印４５の方向）、ピ
ックアップローラギヤ３１に第１のピックアップアイドラギヤ２９ａが噛合した状態（図
３の状態）を保つことができる。一方、第２のピックアップアイドラギヤ２９ｂと第２の
ピックアップギヤ２８との噛合部が第３のピックアップギヤ３２側に向かうように第２の
ピックアップギヤ２８を回転させておけば（矢印４０の方向）、第３のピックアップギヤ
３２に第２のピックアップアイドラギヤ２９ｂが噛合した状態（図３の状態）を保つこと
ができる。
【００２９】
また、図３から図２の状態へ第１及び第２のピックアップアイドラギヤ２９ａ、２９ｂ
を移動、つまりピックアップアイドラアーム３０を揺動させる場合、単純に第２のピック
アップギヤ２８を逆方向（矢印４０の方向）に回転させれば、第２のピックアップギヤ２
８と第１のピックアップアイドラギヤ２９ａとの噛合部において、第２のピックアップギ
ヤ２８の回転方向（矢印４０の方向）に向けて回転トルクを発生させることができる。こ
のため、ピックアップアイドラアーム３０が図３から図２の状態へ回転移動する。
【００３０】
また、従来よりもピックアップアイドラアーム３０のＬ字型の角度を小さくし、少なく
とも常に、第１のピックアップアイドラギヤ２９ａがピックアップローラギヤ３１に接触
しているか、又は第２のピックアップアイドラギヤ２９ｂが第３のピックアップギヤ３２
に接触しているので、第１のピックアップアイドラギヤ２９ａがピックアップローラギヤ
３１を駆動していた場合と反対方向（矢印４０の方向）に回転しながらピックアップアイ
ドラアーム３０が移動する場合、第１のピックアップアイドラギヤ２９ａとピックアップ
ローラギヤ３１との噛合部では第１のピックアップアイドラギヤ２９ａがピックアップロ
ーラギヤ３１から蹴り出される。また、このとき、第２のピックアップアイドラギヤ２９
ｂと第３のピックアップギヤ３２との噛合部では第２のピックアップアイドラギヤ２９ｂ
が第３のピックアップギヤ３２にくいつくことになる。
【００３１】
そして、第２のピックアップアイドラギヤ２９ｂが第３のピックアップギヤ３２にくい
ついて噛合した後（図２の状態）では、第１のピックアップアイドラギヤ２９ａとピック
アップローラギヤ３１とが噛合していた場合と同様に、第２のピックアップギヤ２８の回
転により、第２のピックアップギヤ２８と第２のピックアップアイドラギヤ２９ｂとの噛
合部における第２のピックアップアイドラギヤ２９ｂの回転方向（矢印４１の方向）に向
けて、ピックアップアイドラアーム３０及び第２のピックアップアイドラギヤ２９ｂを押
しつける力を発生させることができる。従って、第３のピックアップギヤ３２に第２のピ
ックアップアイドラギヤ２９ｂを噛合させておくことができる。
【００３２】
上記のようなピックアップアイドラ機構によれば、回転トルクを得るためにスプリング
を用いる必要がなく、またギヤの形状などを特殊な形状とする必要もない。
【００３３】
次に、用紙搬送時のピックアップアイドラ機構の動作を具体的に説明する。給紙時には
、カムギヤ１９の回転により、図１の状態からピックアップレバー１１が回転する。この
ピックアップレバー１１の先端付近の上側に用紙トレーが重なっているので、ピックアッ
プレバー１１の先端部で用紙トレーが持ち上げられる。そして、用紙トレーに積載されて
いる最上面の用紙が給紙ローラ１２に接触する。これによって、最上面の用紙が給紙ロー
ラ１２の回転により給紙される。
【００３４】
この給紙時に給紙ローラ１２を給紙方向に回転させるために、各部は次のように動作す
る。まず、フィードモータ３４が第１のフィードギヤ２０ａを駆動させる。それによって
、第１のフィードギヤ２０ｂ、第２のフィードギヤ２１ａ、２１ｂ、フィードローラギヤ
２２、第１のピックアップギヤ２７ａ、２７ｂ、第２のピックアップギヤ２８が回転する
。ここで、第２のピックアップギヤ２８が矢印４０に示した方向に回転するようにフィー
ドモータ３４の回転方向を制御する。
【００３５】
給紙時はピックアップレバー１１が上がっている状態なので、係止部１１ａから突起３
０ａが解放されており、ピックアップアイドラアーム３０は首振り可能な状態となる。従
って、ピックアップアイドラアーム３０は揺動中心軸のある第２のピックアップギヤ２８
の回転方向に回転トルクを得る。今、第２のピックアップギヤ２８は矢印４０に示した方
向に回転しているので、ピックアップアイドラアーム３０も同方向に回転する。これによ
って、第２のピックアップアイドラギヤ２９ｂが第３のピックアップギヤ３２に噛合する
。そうすると、矢印４０に示した方向に回転している第２のピックアップギヤ２８に従動
して、第２のピックアップアイドラギヤ２９ｂが矢印４１に示した方向に、第３のピック
アップギヤ３２が矢印４２に示した方向に、ピックアップローラギヤ３１が矢印４３に示
した方向に回転する。その結果、ピックアップローラギヤ３１と同軸に固定されている給
紙ローラ１２は矢印４３に示した方向、つまり給紙方向に回転する。
【００３６】
一方、排紙時は排紙ローラ１６を排紙方向に回転させるために、各部は次のように動作
する。まず、フィードモータ３４が第１のフィードギヤ２０ａを駆動させる。それによっ
て、第１のフィードギヤ２０ｂ、第２のフィードギヤ２１ａ、２１ｂ、フィードローラギ
ヤ２２、第１のピックアップギヤ２７ａ、２７ｂ、第２のピックアップギヤ２８が回転す
る。ここで、第２のピックアップギヤ２８が矢印４５に示した方向に回転するようにフィ
ードモータ３４の回転方向を制御する。即ち、給紙時の逆回転である。これにより、プレ
スローラ１３とスパイクローラ１４が排紙方向に回転する。
【００３７】
排紙時はピックアップレバー１１が下がっている状態なので、係止部１１ａが突起３０
ａを係止し、ピックアップアイドラアーム３０は固定される。従って、第２のピックアッ
プギヤ２８の回転方向に関係なく第２のピックアップアイドラギヤ２９ｂは第３のピック
アップギヤ３２と離間し、第１のピックアップアイドラギヤ２９ａはピックアップローラ
ギヤ３１と噛合する。そうすると、矢印４５に示した方向に回転している第２のピックア
ップギヤ２８に従動して、第１のピックアップアイドラギヤ２９ａが矢印４６に示した方
向に、ピックアップローラギヤ３１が矢印４７に示した方向に、イジェクトローラギヤ３
３が矢印４８に示した方向に回転する。その結果、イジェクトローラギヤ３３と同軸に固
定されている排紙ローラ１６は矢印４８に示した方向、つまり排紙紙方向に回転する。
【００３８】
もしピックアップレバー１１が上がっている状態であっても、排紙ローラ１６は排紙方
向に回転する。なぜなら、首振り可能な状態のピックアップアイドラアーム３０は揺動中
心軸のある第２のピックアップギヤ２８の回転方向に回転トルクを得るからである。今、
第２のピックアップギヤ２８は矢印４５に示した方向に回転しているので、ピックアップ
アイドラアーム３０も同方向に回転する。これによって、第１のピックアップアイドラギ
ヤ２９ａがピックアップローラギヤ３１に噛合する。そうすると、矢印４５に示した方向
に回転している第２のピックアップギヤ２８に従動して、第１のピックアップアイドラギ
ヤ２９ａが矢印４６に示した方向に、ピックアップローラギヤ３１が矢印４７に示した方
向に、イジェクトローラギヤ３３が矢印４８に示した方向に回転する。その結果、イジェ
クトローラギヤ３３と同軸に固定されている排紙ローラ１６は矢印４８に示した方向、つ
まり排紙方向に回転する。
【００３９】
なお、排紙ローラ１６を排紙時の逆に回転させる再給紙時には、ピックアップレバー１
１が下がっている状態でフィードモータ３４を給紙時と同方向に回転させればよい。これ
により、プレスローラ１３及びスパイクローラ１４が給紙方向に回転し、排紙ローラ１６
が再給紙方向（排紙の逆方向）に回転し、再給紙できる。
【産業上の利用可能性】
【００４０】
本発明は、昇華型やＴＡ型の熱転写プリンタに利用することができる。
【図面の簡単な説明】
【００４１】
【図１】本発明のアイドラ機構を備えた昇華型熱転写プリンタの側面透過図である。
【図２】本発明の給紙時のピックアップアイドラ機構の状態を示す側面図である。
【図３】本発明の排紙時のピックアップアイドラ機構の状態を示す側面図である。
【図４】従来のアイドラ機構を備えた昇華型熱転写プリンタの部分側面透過図である。
【図５】図４の昇華型熱転写プリンタの給紙時の状態を示す部分側面透過図である。
【符号の説明】
【００４２】
１０    昇華型熱転写プリンタ
１１    ピックアップレバー
１２    給紙ローラ
１６    排紙ローラ
２８    第２のピックアップギヤ
２９ａ  第１のピックアップアイドラギヤ
２９ｂ  第２のピックアップアイドラギヤ
３０    ピックアップアイドラアーム
３１    ピックアップローラギヤ
３２    第３のピックアップギヤ
３３    イジェクトローラギヤ
【図１】
2005313424.tif 000003
【図２】
2005313424.tif 000004
【図３】
2005313424.tif 000005
【図４】
2005313424.tif 000006
【図５】
2005313424.tif 000007